(57)【要約】【課題】  真贋判定と物流管理とを一つの識別媒体を用いて行い、物流管理は、識別媒体を遠距離交信用として使用することで、物流管理を行わないときには近距離交信用として使用することで、物流管理情報に対して不正アクセスされるのを防止する。【解決手段】  スライドファスナーの上止５に内蔵した第１識別媒体５０である近距離交信用のＲＦＩＤに接続した遠距離交信用のアンテナ接続端子５１、５１を露出させる。フィルム３６上に導電性塗料を用いて形成したアンテナ線３５ａを形成し、アンテナ線３５ａの両端部に形成した接点３５ｂを除いてフィルム３６の端部に粘着部３７を形成する。粘着部３７を介して、アンテナ線３５ａの接点３５ｂをアンテナ接続端子５１、５１に接着させることで、第１識別媒体５０を遠距離交信用の識別媒体にすることができる。【選択図】図２７
2009187580.tif 000002
【特許請求の範囲】
【請求項１】
近距離交信用の第１識別媒体を有する物品であって、
前記第１識別媒体が、近距離交信用のＲＦＩＤとして、物品に被着されるファスニング製品に固定されてなり、
前記第１識別媒体のＲＦＩＤが、遠距離交信用のアンテナ接続端子を有してなり、
遠距離交信用のアンテナが前記アンテナ接続端子に接続されているときには、前記第１識別媒体は、前記物品に対する物流管理用の識別媒体として用いられ、
遠距離交信用のアンテナが前記アンテナ接続端子に接続されていないときには、前記第１識別媒体は、前記物品に対する真贋判定用の識別媒体として用いられてなることを特徴とする物品。
【請求項２】
前記遠距離交信用のアンテナが着脱可能に装着される前記物品の部位に、前記アンテナ接続端子が配設されてなることを特徴とする請求項１に記載の物品。
【請求項３】
前記近距離交信用のＲＦＩＤに対して、バッテリーが着脱可能に接続されてなることを特徴とする請求項１に記載の物品。
【請求項４】
近距離交信用のＲＦＩＤを第１識別媒体として、物品に被着されるファスニング製品に固定してなり、かつ前記第１識別媒体のＲＦＩＤと接続した遠距離交信用のアンテナ接続端子に、遠距離交信用のアンテナが着脱可能に接続されてなる前記物品の真贋判定及び物流管理方法であって、
遠距離交信用のアンテナが前記アンテナ接続端子に接続されているときには、前記第１識別媒体は、前記物品に対する物流管理用の識別媒体として用いられ、遠距離交信用のアンテナが前記アンテナ接続端子に接続されていないときには、前記第１識別媒体は、前記物品に対する真贋判定用の識別媒体として用いられてなり、
前記物品の物流管理が、前記アンテナ接続端子に接続した前記アンテナを介した遠距離交信において、前記第１識別媒体のメモリから読み出したデータ、及び前記メモリへ書き込んだデータのいずれかにおける少なくとも一方のデータに基づいて行われてなることを特徴とする物品の真贋判定及び物流管理方法。
【請求項５】
前記物品の真贋判定が、前記遠距離交信用のアンテナを前記アンテナ接続端子から取り外した後に、近距離交信において前記第１識別媒体のメモリから読み出したデータを、予め設定した基準データと比較することにより行われることを特徴とする請求項４に記載の物品の真贋判定及び物流管理方法。
【請求項６】
前記遠距離交信用のアンテナを前記アンテナ接続端子から取り外した後、同取り外した前記アンテナを他の新たな物品における遠距離交信用のアンテナとして使用してなることを特徴とする請求項４又は請求項５に記載の物品の真贋判定及び物流管理方法。
【発明の詳細な説明】
【技術分野】
【０００１】
本願発明は、例えばスライドファスナー、面ファスナー、テープ付きスナップファスナー、係合条片を有するレール状ファスナー、バックル、コードストッパー、ベルトアジャスター、ナス環、スナップボタンなどのファスニング製品が被着された物品、同物品の真贋判定及び物流管理方法に係わり、特に、近距離交信用の第１識別媒体が前記ファスニング製品に備えられ、かつ遠距離交信用のアンテナを第１識別媒体に対して着脱可能に装着できるように構成された前記物品、同物品の真贋判定及び物流管理方法に関するものである。
【０００２】
尚、本願明細書及び特許請求の範囲の記載において識別媒体とは、読み取り及び／又は書き込みが可能な符号、ＩＤ（Identification）識別符号をもつ媒体を指す用語として用いている。識別媒体として代表的なものとしては、ＲＦＩＤ（Radio Frequency Identification）などがある。
【０００３】
ＲＦＩＤとしては、シリコンチップのＲＦＩＤやクリスタルチップのＲＦＩＤを用いることができるものである。また、ＲＦＩＤは、無線ＩＣとかＩＣタグと称される場合もある。
【０００４】
本願明細書及び特許請求の範囲の記載において用いる近距離交信用の識別媒体とは、交信距離が３０ｃｍ未満、好適には１０数ｃｍ未満で識別情報の入出力を行うことのできる識別媒体を総称した用語として用いているものであり、例えば、交信距離が０〜１０数ｃｍ未満であるＲＦＩＤなどが近距離交信用の識別媒体として含まれるものである。ＲＦＩＤとしては、アンテナを具備するもの、又はアンテナを具備しないもののいずれのものであってもよい。
【０００５】
また、本願明細書及び特許請求の範囲の記載において遠距離交信用の識別媒体とは、交信距離が１０数ｃｍ以上で、好適には３０ｃｍ以上で５ｍ未満の範囲において識別情報の入出力を行うことのできる識別媒体を総称した用語として用いているものであり、例えば、交信距離が１０数ｃｍ以上であるＲＦＩＤなどが遠距離交信用の識別媒体として含まれるものである。
【背景技術】
【０００６】
近年、無線通信方式によってデータ通信を行うＲＦＩＤを生産段階で商品に内蔵させ、商品の生産から物流、販売等にいたるトータル的な商品管理を行うことや、商品の紛失防止、盗難防止、偽造防止などが行われている。また、ＲＦＩＤを衣服に装着して痴呆症患者の徘徊防止等に利用することなどが提案されてきている。
【０００７】
一般にＲＦＩＤは、大きく分けて３つのタイプのものが用いられている。１つ目のタイプは、パッシブタグと称されるものであり、起動用の電源電池を備えておらず、データが格納されているものである。格納されているデータの書き換えが可能なものもある。また、パッシブタグにおける起動用の電源としては、外部の読取装置から受信した電磁波で起電力を発生させ、発生した起電力をＲＦＩＤの電源として用いる。
【０００８】
２つ目のタイプは、アクティブタグと称されるもので、起動用の電源電池を持っていて格納されているデータを発信することができるものであり、格納されているデータの書き換えが可能なものもある。３つ目のタイプは、セミパッシブタグと称されるもので、起動用の電源電池は持っているが、外部の読取装置から発信したトリガ信号を受信しないと格納されているデータを外部の読取装置に発信しないものである。セミパッシブタグにおいても、格納されているデータの書き換えが可能なものもある。
【０００９】
ＲＦＩＤのメモリに格納されているデータを外部の読取装置によって読取るにあたって、パッシブタグにおいては、ＲＦＩＤ内に内蔵した受信アンテナに読取装置からの制御信号を受信する機能と共にコイルとしての機能も持たせている。外部の読取装置から送信した電磁波によって、受信アンテナであるコイルに起電力を発生させ、同起電力でもってＲＦＩＤの動作を行わせている。電源電池を備えたものでは、受信アンテナによる起電力を発生させず、備えた電源電池によってＲＦＩＤを動作させている。
【００１０】
ＲＦＩＤが動作可能状態にあると、読取装置からの制御信号に基づいてＲＦＩＤ内のメモリから必要なデータを取り出して、同データを応答データとして送信アンテナから読取装置に応答送信することができる。応答送信された信号は読取装置の受信アンテナで受信され、読取装置の制御部において応答データの解析が行われる。この応答データはＲＦＩＤ内に格納されていたデータとして読取装置内に一時格納されたのち、パソコンなどの制御機器へと送信される。
【００１１】
また、読取装置から送信された制御信号に基づいて、ＲＦＩＤ内のメモリに格納されるデータの更新あるいは書き換え等を行うこともＲＦＩＤの性能によって可能である。ＲＦＩＤ内のメモリからのデータの読み出し、データの書き込みにあたっては、各種セキュリティ手段が講じられている。
【００１２】
この種のＲＦＩＤをファスニング製品に内蔵したものとしては、例えば、特開２００２−１２５７２１号公報に記載された「スライドファスナーの引手」や特開２００２−４２１００号公報に記載された「縫止脚付衣服用ボタン」が提案されている。
【００１３】
特開２００２−１２５７２１号公報に記載されたスライドファスナーの引手は、図３９に示すように金属製や合成樹脂、皮革、厚布等の軟質材製の引手本体７１内にＲＦＩＤチップ７４とコイルアンテナ７３とを埋め込んでおり、コイルアンテナ７３とＲＦＩＤチップ７４とは細いガラス管７５内に封入されている。
【００１４】
引手本体７１を金属材料により構成する場合は、同引手本体７１にガラス管７５の埋込孔７２が形成されるとともに、同埋込孔７２の壁面に内外に連通する送受信用スリット７６が形成され、同送受信用スリット７６の部位に配したコイルアンテナ７３と外部に配した読取装置との間で信号の送受信が行えるように構成されている。コイルアンテナ７３とＲＦＩＤチップ７４とを封入したガラス管７５が前記埋込孔７２内に挿入したのち、同埋込孔７２の開口端をエポキシ樹脂によって密閉し、コイルアンテナ７３とＲＦＩＤチップ７４とからなるＲＦＩＤが埋設した引手本体７１が形成されている。
【００１５】
また、前記引手本体７１を合成樹脂材により構成する場合は、同引手本体７１が電磁透過性をもつ合成樹脂材料から構成される。ガラス管７５中に封入されたＲＦＩＤは、上記金属製の引手本体と同様に、前記エポキシ樹脂によって前記埋込孔７２内に封入され、ＲＦＩＤを埋設した引手本体７１が形成されている。
【００１６】
更にまた、前記引手本体７１を皮革材や布材により構成する場合は、ガラス管７５を挿入する埋込空間が引手本体７１に形成されている。ガラス管７５中に封入されたコイルアンテナ７３とＲＦＩＤチップ７４とからなるＲＦＩＤは、送受信用の長孔を有する金属管によって被覆して補強されている。補強されたＲＦＩＤは前記埋込空間内に隠蔽して収納されている。
【００１７】
特開２００２−４２１００号公報に記載された縫止脚付衣服用ボタンは、図４０に示すように、電磁透過性を有する硬質樹脂製のボタン本体８２により構成されている。ボタン本体８２の表面にはリング状の凹所８４が形成され、その裏面にはボタンを衣服等に縫い止める縫止脚８１が一体に突設されている。
【００１８】
図４１に示すように凹所８４の中心部にはＲＦＩＤチップ８６が配されるとともに、同ＲＦＩＤチップ８６に電気的に接続されたらせん状のコイルアンテナ８５が前記凹所８４内で周回するように配されている。このＲＦＩＤチップ８６とコイルアンテナ８５とからなるＲＦＩＤが前記凹所８４内に配されたのち、同凹所８４内にエポキシ樹脂８７が流し込まれて固化され、コイルアンテナ８５とＲＦＩＤチップ８６とからなるＲＦＩＤは密封防水処理され、ＲＦＩＤを内蔵したボタンが形成されている。
【先行技術文献】
【特許文献】
【００１９】
【特許文献１】特開２００２−１２５７２１号公報
【特許文献２】特開２００２−４２１００号公報
【発明の概要】
【発明が解決しようとする課題】
【００２０】
特開２００２−１２５７２１号公報、特開２００２−４２１００号公報に開示されたＲＦＩＤは、近距離交信用のＲＦＩＤであるため、ＲＦＩＤと読取装置間の距離が短い狭小領域内でのみＲＦＩＤに格納したデータの読取が可能であった。また、ＲＦＩＤを内蔵したスライドファスナーやボタンを装着した衣料品やカバン等に関して、これら衣料品やカバン等の物流管理をスライドファスナーやボタンに内蔵したＲＦＩＤのメモリに記憶されたデータで行うことにすると、ＲＦＩＤのメモリには、ＲＦＩＤを内蔵したスライドファスナーやボタンの製品情報に関するデータ以外に物流管理用のデータを格納しなければならない。
【００２１】
ＲＦＩＤは、常に衣料品やカバン等の製品に装着されているため、第３者が悪意に基づいてＲＦＩＤを装着した衣料品やカバン等の製品を購入したエンドユーザーからＲＦＩＤに格納されている情報を盗み取ることが可能となる。このため、エンドユーザーが所有しているＲＦＩＤを装備した物品の履歴やエンドユーザーの個人情報、例えば、所有している物品の値段が幾らでどの店で購入したのか、とか、どういう店でどのような商品を購入するのが好きなのかといった、個人のプライバシーに係わる情報が外部に筒抜けになってしまうことになる。
【００２２】
特に、スライドファスナーなどのファスニング製品の用途は拡大されており、カバンやバックから衣料品に至るまで幅広く使用されてきており、その使用形態も種々にわたっている。このため、これらのものに使用されているファスニング製品に対して、不正アクセスすることが可能なＲＦＩＤを備えたファスニング製品を装着した物品に関する物流情報まで格納しておくことは、消費者ニーズに合致するものではなく、また、個人のプライバシー等を保護する上からも好ましいものではなかった。
【００２３】
また、ＲＦＩＤや近距離確認用の識別媒体を備えたファスニング製品を装着した物品がエンドユーザーである顧客に手渡った後の真贋判定においては、ＲＦＩＤは読取装置側からに信号に応じて発信すればよく、ＲＦＩＤからの電波到達距離を必要としないが、製造や問屋、販売段階での物流管理においては、ＲＦＩＤから発信された電波が所定範囲内に亘って安定した状態で読取装置により受信されることが望まれている。
【００２４】
このため、真贋判定と物流管理とを行わせるためには、遠距離交信用のＲＦＩＤを用いなければならないが、遠距離交信用のＲＦＩＤをファスニング製品に配設することが難しく、また、遠距離交信用のＲＦＩＤを物品に装着しておくと、不正アクセスを許容することになり問題となっていた。
【００２５】
本願発明は、これらの問題を解決するためになされたものである。物品及びファスニング製品の真贋判断を近距離交信用の識別媒体で行わせ、近距離交信用の識別媒体に遠距離交信用のアンテナを接続することで、物品の物流管理を行う識別媒体として使用することができるようにすることで、上述の問題点の解決を図ることにある。また、物流管理を行わせるときに使用する遠距離交信用のアンテナは、物品から取り外して、他の新たな物品に装着されている近距離交信用の識別媒体に接続することで、取り外したアンテナの再利用を図ることにある。
【課題を解決するための手段】
【００２６】
前記の目的を達成するため、本願発明の第１の基本的な構成は、近距離交信用の第１識別媒体を有する物品であって、前記第１識別媒体が、近距離交信用のＲＦＩＤとして、物品に被着されるファスニング製品に固定されてなり、前記第１識別媒体のＲＦＩＤが、遠距離交信用のアンテナ接続端子を有してなり、
遠距離交信用のアンテナが前記アンテナ接続端子に接続されているときには、前記第１識別媒体は、前記物品に対する物流管理用の識別媒体として用いられ、遠距離交信用のアンテナが前記アンテナ接続端子に接続されていないときには、前記第１識別媒体は、前記物品に対する真贋判定用の識別媒体として用いられてなることを最も主要な特徴としている。
【００２７】
本願発明の第２の基本的な構成を備えた発明では、近距離交信用のＲＦＩＤを第１識別媒体として、物品に被着されるファスニング製品に固定してなり、かつ前記第１識別媒体のＲＦＩＤと接続した遠距離交信用のアンテナ接続端子に、遠距離交信用のアンテナが着脱可能に接続されてなる前記物品の真贋判定及び物流管理方法であって、
遠距離交信用のアンテナが前記アンテナ接続端子に接続されているときには、前記第１識別媒体は、前記物品に対する物流管理用の識別媒体として用いられ、遠距離交信用のアンテナが前記アンテナ接続端子に接続されていないときには、前記第１識別媒体は、前記物品に対する真贋判定用の識別媒体として用いられてなり、
前記物品の物流管理が、前記アンテナ接続端子に接続した前記アンテナを介した遠距離交信において、前記第１識別媒体のメモリから読み出したデータ、及び前記メモリへ書き込んだデータのいずれかにおける少なくとも一方のデータに基づいて行われてなる物品の真贋判定及び物流管理方法を他の最も主要な特徴としている。
【発明の効果】
【００２８】
本願発明により、遠距離交信用のアンテナを接続することで近距離交信用のＲＦＩＤを遠距離交信用のＲＦＩＤとして使用することができるようになる。遠距離交信用のアンテナを接続している状態では、ＲＦＩＤを物流管理用のＲＦＩＤとして使用し、遠距離交信用のアンテナを取り外した状態では、真贋判定用のＲＦＩＤとして使用することができるようになる。
【００２９】
しかも、遠距離交信用のアンテナは、フィルム等に導電性塗料によりアンテナを印刷して形成するなどにより構成することや、面ファスナーの面上に配線すること等により構成することができ、交信距離に応じて所望のアンテナ線の長さを有するアンテナを容易に形成することができる。
【００３０】
遠距離交信用のアンテナと接続するＲＦＩＤのアンテナ接続端子は、物品上に形成することも、或いは物品に装着したファスニング製品上に形成することもでき、アンテナ接続端子を配設することができる部位であれば、所望の部位に形成することができる。また、遠距離交信用のアンテナを配設した部材を物品又はファスニング製品に着脱可能に取り付ける取り付け手段としては、粘着による取り付けや、磁力を用いた取り付け、クリップ等による狭持による取り付け、アンテナ接続端子が形成されている部位にアンテナを配設した部材を挿入すること等の種々の取り付け手段を用いて取り付けることができる。取り付ける際には、アンテナが結線しないように取り付けることが望ましい。
【００３１】
また、本願発明では、ＲＦＩＤに電源電池を着脱可能な状態で接続することもできる。第１識別媒体のＲＦＩＤがアクティブタイプやセミパッシブタイプの場合には、電源電池を別途接続することは必要としないが、電源電池を接続することにより遠距離交信の交信距離を更に延ばすことが可能となる。
【００３２】
これにより、近距離交信用のＲＦＩＤを取り付けた物品に遠距離交信用のアンテナを取り付けることで、広範囲の領域での外部の読取装置との間での交信や、ダンボール箱等の中に収納された物品と外部の読取装置との間での交信等を行うことができるようになる。
【００３３】
このように、物品の販売後においても必要な管理情報又は判断情報を第１識別媒体によって物品に残しておくことができ、遠距離交信が必要なくなったときには、遠距離交信用のアンテナを第１識別媒体のアンテナ接続端子から取外すことで、遠距離交信において物品に関する秘密情報等が外部に漏れ出るのを防止することができる。
【００３４】
また、第１識別媒体を物品に被着されるファスニング製品に設けることで、ファスニング製品の管理と同ファスニング製品を被着した物品の管理とを第１識別媒体にて行うことができるようになる。しかも、物品に関する物流情報等、ファスニング製品を被着した後の物品の管理を、遠距離交信用のアンテナを第１識別媒体のアンテナ接続端子に接続した状態で、遠距離交信用とした第１識別媒体において行わせることができる。
【００３５】
そして、近距離交信用とした第１識別媒体を、ファスニング製品や物品の真贋判定用の識別媒体として使用することができる。取り外した遠距離交信用のアンテナは、別の第１識別媒体に接続して再利用することができる。
【００３６】
また、近距離交信用としたときの真贋判定用の第１識別媒体は物品にそのまま装着されているので、エンドユーザーが同物品の修理を依頼してきた場合や、税関での製品検査時等において物品の真贋を判定する判定手段として使用することができる。真贋判定としては、第１識別部材に格納されているデータを真贋判定用の予め設定した基準データと比較することにより行うことができる。
【００３７】
近距離交信用の第１識別媒体としては、交信距離が０〜１０数ｃｍであるＲＦＩＤ等を使用することができる。遠距離交信用のアンテナを接続したときの第１識別媒体は、交信距離が１０数ｃｍ以上としたＲＦＩＤとして使用することができる。
【００３８】
本願発明の第２の基本的な構成を備えた発明により、近距離交信用のＲＦＩＤを遠距離交信用のＲＦＩＤとして使用することができるようになる。このため、特に遠距離交信用のＲＦＩＤを用いなくても、一つのＲＦＩＤを遠距離交信用のアンテナを接続したり取り外したりすることだけで、遠距離交信用のＲＦＩＤとしたり近距離交信用のＲＦＩＤとすることができる。
【００３９】
また、第１識別媒体に格納されたデータ又は格納するデータに対応する物流管理の情報をパソコン等の外部のメモリに記憶させておき、第１識別媒体から読み出したデータ又は第１記憶媒体に格納したデータとパソコン等に記憶した情報とを対応させることで物品やファスニング製品の物流管理を行うこともできる。
【００４０】
パソコン等に情報を記憶させておくことで、第１識別媒体に格納することができないような大きなデータ量のものであっても取り扱うことが可能となる。しかも、物流管理用のデータ量が増大しても、増大したデータをパソコン等の記憶装置に記録させておくことができるので、第１識別媒体のメモリ容量を大きくしなくても、大きなデータ量を必要とする物流管理を行うことができるようになり、ＲＦＩＤを大きな形状としなくてすむ。
【００４１】
取り外した後の遠距離交信用のアンテナは、別の新たな物品における遠距離交信用のアンテナとして使用することができ、遠距離交信用のアンテナの再利用を行うことができる。
【図面の簡単な説明】
【００４２】
【図１】本願発明の実施形態に係わるスライドファスナーの正面図である。
【図２】図１に示すスライドファスナーを被着した物品の要部正面図である。
【図３】第１識別媒体を内蔵した上止の部分破断斜視図である。
【図４】第１識別媒体を内蔵した箱体の部分正面図である。
【図５】第１識別媒体を内蔵した下止の部分正面図である。
【図６】第１識別媒体を内蔵したファスナーエレメントの部分正面図である。
【図７】第１識別媒体を内蔵したスライダーの部分断面図である。
【図８】第１識別媒体を内蔵した引手の部分断面図である。
【図９】スライドファスナーを被着した物品の要部正面図である。
【図１０】第１識別媒体を配設したファスナーテープの部分断面図である。
【図１１】第１識別媒体を配設したファスナーテープの変形例を示す部分断面図である。
【図１２】第１識別媒体を配設した補強テープの部分正面図である。
【図１３】図１２の要部断面図である。
【図１４】スライドファスナーを被着した物品の変形例を示す正面図である。
【図１５】第１識別媒体を配設したバックルの部分正面図である。
【図１６】第１識別媒体を配設したベルト調整具の部分斜視図である。
【図１７】第１識別媒体を配設したナス環の部分斜視図である。
【図１８】第１識別媒体を配設したコードストッパーの部分斜視図である。
【図１９】第１識別媒体を配設したスナップボタンの部分斜視図である。
【図２０】第１識別媒体を配設したボタンの部分斜視図である。
【図２１】第１識別媒体を配設した面ファスナーの部分斜視図である。
【図２２】図２１の要部断面図である。
【図２３】第１識別媒体を配設したスナップファスナーの部分斜視図である。
【図２４】図２３の要部断面図である。
【図２５】第１識別媒体を配設したレールファスナーの部分斜視図である。
【図２６】図２５の要部断面図である。
【図２７】着脱可能なアンテナを第１識別媒体に配設したスライドファスナーの部分斜視図である。
【図２８】図２７の要部断面図である。
【図２９】アンテナを形成したフィルムの変形例を示す斜視図である。
【図３０】着脱可能なアンテナを第１識別媒体に配設した引手のカバーとした部分斜視図である。
【図３１】図３０の要部断面図である。
【図３２】着脱可能なアンテナを第１識別媒体に配設した引手のカバーとした変形例の部分斜視図である。
【図３３】着脱可能なアンテナを第１識別媒体に配設した引手取り付けた変形例の部分斜視図である。
【図３４】着脱可能なアンテナを面ファスナーに配した部分斜視図である。
【図３５】アンテナをテープに織成した要部拡大図である。
【図３６】アンテナをテープに織成した変形例の要部拡大図である。
【図３７】アンテナをテープに編成した要部拡大図である。
【図３８】着脱可能なアンテナをダミーの雄部材に配したバックルの部分斜視図である。
【図３９】ＲＦＩＤを引手に用いた従来例を示す図である。
【図４０】ＲＦＩＤをボタンに用いた他の従来例を示す断面図である。
【図４１】図４０に示す従来例の平面図である。
【発明を実施するための形態】
【００４３】
本願発明の好適な実施の形態について、添付図面に基づいて以下において具体的に説明する。本願発明の物品の構成としては、以下で説明する形状、配置構成以外にも本願発明の課題を解決することができる形状、配置構成であれば、それらの形状、配置構成を採用することができるものである。このため、本願発明は、以下に説明する実施例に限定されるものではなく、多様な変更が可能である。
【００４４】
また、本願発明におけるファスニング製品としては、例えば、スライドファスナー、面ファスナー、スナップファスナー、レールファスナー、バックル、コードストッパー、ベルトアジャスター、ナス環、スナップボタン、ボタンなどの各種ファスニング製品が含まれるものである。
【００４５】
物品としては、上記ファスニング製品を被着することのできる、例えばカバン、スポーツウェアその他の各種の衣類、鞄等が、物品として含まれるものである。本願発明に適用されるＲＦＩＤの曲型的な態様としは、識別対象物の識別情報などのデータを格納するメモリを備えたＲＦＩＤチップとアンテナとが互いに電気的に接続されて応答回路を構成している。その応答回路として、ＲＦＩＤチップには、例えば検出回路、電源回路、制御回路、メモリ回路、変調回路、発振回路等が組み込まれている。
【００４６】
更に本願発明にあっては、外部からの電磁誘導などにより各回路に電力を供給する無電池式であるパッシブタグ、あるいは電源として電池を内蔵したアクティブタグ、セミパッシブタグを含んでいる。また、ＲＦＩＤチップとしては、シリコンチップ、クリスタルチップを包含しているものである。
【００４７】
また、本願発明におけるＲＦＩＤチップとしては、読取装置からの送信信号によりＲＦＩＤチップ内のメモリに格納しているデータを取り出して読取措置に応答信号として送信するもの、読取装置からの送信信号によりＲＦＩＤチップ内のメモリに格納しているデータやプログラムの書き換えや更新等を行うことができるもの、更にはＲＦＩＤチップ内の制御装置がプログラムに基づいて自動的にメモリ内に格納したデータ等を読取装置に送信することのできるもの等の各種制御形態を行い得るＲＦＩＤチップとして構成されているものである。
【実施例１】
【００４８】
図１は、本願発明に係わる実施形態における第１識別媒体を、上止に備えたスライドファスナーの正面図である。図２は、図１に示すスライドファスナーを被着した物品、図２では衣服を示す要部正面図である。図３〜図１３は、スライドファスナーにおける第１識別媒体の配置例を示す図である。
【００４９】
図１４は、第１識別媒体を物品（この例では、物品としては鞄。）に装着した例を示す図である。図１５〜図２６は、スライドファスナー以外のファスニング製品に第１識別媒体を配置した例を示す図である。
【００５０】
図１において、符号１は例えば衣服やカバン等の図示せぬ物品に縫製により被着されるスライドファスナーを示しており、ファスナーテープ４には、スライダー２、引手３、上止５、箱体６、複数のファスナーエレメント７、補強片８、蝶棒９、箱棒１０等が取り付けられている。
【００５１】
ファスナーテープとしては、例えば合成樹脂繊維を織成又は編成された繊維テープ状の基布、不織布、合成樹脂製シートなどから構成される。ファスナーエレメントとしては、ファスナーテープの側縁部の表裏を狭持する合成樹脂製又は金属製のエレメントから構成される。また、合成樹脂製モノフィラメントをコイル状に巻回してなるコイル状エレメント、平面内に横方向にＵ字形に屈曲した部分を長手方向に沿って上下交互に連続してジグザグ状に形成したジグザグ状エレメントなどの連続状エレメント等から構成してもよい。このことは、上述のスライダー、上下止具、補強用シート状部材、開離嵌挿具についても同様であり、その太さや材質及び構造なども様々に変更が可能である。
【００５２】
一方の上止５には第１識別媒体５０である近距離交信用のＲＦＩＤが内蔵されている。また、スライダー２の第１引手部材３ａには同第１引手の孔部３ｃに第２引手部材３ｂが着脱可能に取り付けられている。
【００５３】
図２に示すように、第１識別媒体５０を内蔵したスライドファスナー１を物品５４に被着することで、第１識別媒体５０を近距離交信用としたときには、真贋判定用として第１識別媒体５０を用いることができ、第１識別媒体５０を遠距離交信用としたときには、物流管理用として第１識別媒体５０を用いることができる。第１識別媒体５０を近距離交信用とした場合と遠距離交信用とした場合については、図２７〜図３８を用いて後述する。
【００５４】
図３は、第１識別媒体５０が上止５内に内蔵された状態を示す要部破断図であり、図４は、箱体６内に第１識別媒体５０が内蔵された状態を示している。図５では、第１識別媒体５０を下止１２内に内蔵した状態を示し、図６では、複数のファスナーエレメント７に第１識別媒体５０を内蔵した状態を示している。また、第７図には第１識別媒体５０をスライダー胴体２ａ内に内蔵した状態を示しており、図８では、スライダー２の引手３内に内蔵した状態を示している。これら、図３〜図８に示す状態において、第１識別媒体５０を内蔵する各部材は、非導電性、非電磁性の材料から形成しておくことが、第１識別媒体５０と外部の読取装置間で信号の送信及び受信を行う上で望ましい。
【００５５】
図９は、スライドファスナー１のファスナーテープ４に第１識別媒体５０を配設した例を示している。第１識別媒体５０を配設するファスナーテープ４上の部位としては、図１０、図１１に示すようにスライドファスナー１を物品５４に被着したときに物品５４によって被覆されるファスナーテープ４の縁部寄りの部位とすることが望ましい。また、図１１に示すように、少なくとも第１識別媒体の周囲をテープ部材１７で被覆した後に、物品５４にスライドファスナー１を被着することもできる。テープ部材１７を用いることで、第１識別媒体５０を保護することが可能となり、物品５４に対して洗濯等を行った場合でも、テープ部材１７として防水性のテープを用いることで、第１識別媒体であるＲＦＩＤに浸水することが防止される。
【００５６】
テープ部材として片面に粘着剤が塗布されたものを用いることで、第１識別媒体５０をスライドファスナー１上で位置固定することができ、スライドファスナー１を物品に被着した後に、スライドファスナー１と物品５４との間で第１識別媒体５０が移動してしまうのを防止することができる。また、第１識別媒体５０の取り付け位置が固定されることで、第１識別媒体５０から所望のデータを読み取る位置が特定される。
【００５７】
図１２は、スライドファスナー１の補強テープ１５に第１識別媒体５０を配設した状態を示しているもので、図１３に図１２の横断面図を示すように、第１識別媒体５０を補強テープ１５内に収納することができる。
【００５８】
このように第１識別媒体５０をスライドファスナー１の特定の部位に配設することで、外部からの読取装置で第１識別媒体に格納されているデータを読み取る上でも、第３者に読取箇所が知られることなく、第１識別媒体による真贋判定等を迅速に行うことができる。
【００５９】
図１４は、物品５５として鞄を用いた例を示している。物品５５に被着されたスライドファスナー１には、第１識別媒体がスライドファスナー１の上止５に内蔵されている。物品５５としての鞄における所望の部位に第１識別媒体５０が外部から見づらい状態で配設されている。第１識別媒体５０としては、鞄における模様の一部として配設することも、鞄に裏面側等に隠して配設することもできる。
【００６０】
図１４に示す例においても、遠距離交信用のアンテナを第１識別媒体５０に装着すれば、離れた場所から物品の物流管理を行うことができ、遠距離交信用のアンテナを取り外すことで、近距離交信用となった第１識別媒体５０を用いて物品５５の真贋判定を行うことができる。
【００６１】
図１５は、第１識別媒体５０をバックル２２の雌部材２２ｂに内蔵した例を示している。第１識別部材５０は、バックル２２の雌部材２２ｂに内蔵する代わりに雄部材２２ａに内蔵させて配設することも、ベルト２３に配設しておくこともできる。また、第１識別部材をバックル２２の雄部材２２ａ又は雌部材２２ｂに内蔵させる代わりに、雄部材２２ａ又は雌部材２２ｂに接着等の適宜の取り付け手段により取り付けることもできる。
【００６２】
図１６は、ベルト調整具２４に第１識別媒体５０を内蔵した例を示している。この場合も、第１識別媒体をベルト調整具２４に内蔵させる代わりに、ベルト調整具２４に接着等の適宜の取り付け手段により取り付けることができる。
【００６３】
図１７は、ナス環２５に第１識別媒体５０を内蔵した例を示している。第１識別媒体５０の内蔵部位としては、ナス環２５の本体２６ｂに内蔵させている。本体２６ｂに内蔵させる代わりに、フック２６ａに内蔵させることも、ベルト２３に配設することもできる。
【００６４】
図１８は、コードストッパー２７に第１識別媒体５０を内蔵した例を示している。第１識別媒体５０の内蔵部位としては、コードストッパー２７の摺動体２７ｂに内蔵させている。摺動体２７ｂに内蔵させる代わりに、本体２７ａに内蔵させることも、コード２８に配設することもできる。
【００６５】
図１９は、スナップボタン２９に第１識別媒体５０を内蔵した例を示している。第１識別媒体５０の内蔵部位としては、雌部材２９ｂに内蔵させている。雌部材２９ｂに内蔵させる代わりに、雄部材２９ａに内蔵させることも、スナップボタン２９を取り付ける生地３０に配設することもできる。
【００６６】
図２０は、ボタン３１に第１識別媒体５０を内蔵した例を示している。第１識別媒体５０の内蔵部位としては、ボタン３１に内蔵させている。ボタン３１に内蔵させる代わりに、ボタン３１の外周面に接着等の適宜の取り付け手段を用いて取り付けることもできる。
【００６７】
図２１は、面ファスナー１９に第１識別媒体５０を配設した例を示している。第１識別媒体５０の配設部位としては、面ファスナー１９の基材１９ｃに接着等の適宜の取り付け手段を用いて取り付けている。図２１の横断面である図２２に示すように、基材１９ｃを物品５４に被着するとき、物品５４によって覆われる基材１９ｃの部位に第１識別媒体５０を配設しておくことが、第１識別媒体５０の設置を第３者により確認することができないので望ましい。
【００６８】
図２３は、スナップファスナー３３に第１識別媒体５０を配設した例を示している。第１識別媒体５０の配設部位としては、スナップファスナー３３の基材３３ｃに接着等の適宜の取り付け手段を用いて取り付けている。図２３の横断面である図２４に示すように、基材３３ｃを物品５４に被着するとき、物品５４によって覆われる基材３３ｃの部位に第１識別媒体５０を配設しておくことが、第１識別媒体５０の設置が第３者により確認することができないので望ましい。
【００６９】
図２５は、係合部３４ａと被係合部３４ｂとが係脱自在のレールファスナー３４に第１識別媒体５０を配設した例を示している。第１識別媒体５０の配設部位としては、レールファスナー３４のファスナーテープ３４ｃに接着等の適宜の取り付け手段を用いて取り付けている。図２５の横断面である図２６に示すように、ファスナーテープ３４ｃを物品５４に被着するとき、物品５４によって覆われるファスナーテープ３４ｃの部位に第１識別媒体５０を配設しておくことが、第１識別媒体５０の設置が第３者により確認することができないので望ましい。
【００７０】
次に、図２７〜図３８を用いて、遠距離交信用のアンテナの着脱によって第１識別媒体５０を遠距離交信用の識別媒体や近距離交信用の識別媒体として用いる場合について説明する。
【００７１】
図２７では、アンテナをフィルム上に形成し、同フィルムを第１識別媒体である近距離交信用のＲＦＩＤに着脱可能に接続することのできる例を示している。図２８は、図２７の横断面図を示し、図２９は、フィルムを近距離交信用のＲＦＩＤに接続する変形例を示している。図３０は、スライドファスナーの引手に着脱可能なアンテナの構成を示す斜視図であり、図３１は、図３０の横断面図を示している。図３２は、スライドファスナーの引手に装着することのできるアンテナの変形例を示している。また、図３３は、スライドファスナーの引手に装着することのできるアンテナの別の変形例を示している。
【００７２】
図３４は、物品のポケットに第１識別媒体を配設した場合における遠距離交信用のアンテナの接続構成を示しており、図３５〜図３７には、織製又は編製したファスナーテープの織糸又は編糸の一部にアンテナ線を配した例を示している。また、図３８には、第１識別媒体が内蔵されたバックルにおいて、遠距離交信用のアンテナを接続する例を示している。
【００７３】
図２７に示すように、フィルム３６上に導電性塗料を用いた印刷等の適宜の手段によりアンテナ線３５ａを形成し、アンテナ線３５ａの両端部には接点３５ｂを形成する。接点３５ｂを除いたフィルム３６の端部に粘着部３７が形成してある。粘着部３７の代わりに、図２９に示すように磁性部材６０を形成することもできる。尚、磁性部材６０を形成する場合には、左右の接点３５ｂ、３５ｂ間が電気的に導通しないように磁性部材を形成することが必要である。
【００７４】
図２７では、上止５に内蔵した第１識別媒体５０である近距離交信用のＲＦＩＤから遠距離交信用のアンテナ接続端子５１、５１を延設し、上止５の表面上にアンテナ接続端子５１、５１を露出させている。図２８に示すように、フィルム３６の粘着部３７を上止５の上面に貼り付けることにより、アンテナ線３５ａの接点３５ｂ、３５ｂとアンテナ接続端子５１，５１とをそれぞれ接続する。これにより、第１識別媒体５０を遠距離交信用のＲＦＩＤとして使用することができる。そして、フィルム３６を上止５から剥がすことにより第１識別媒体５０は、近距離交信用のＲＦＩＤとすることができる。
【００７５】
また、図２９に示すような磁性部材６０を一端部に配したフィルム３６を用いた場合には、アンテナ接続端子５１，５１の露出した面積を大きくすることで、アンテナ接続端子５１，５１の露出した面積部分と磁性部材６０、６０の間に作用する磁力を用いて、アンテナ接続端子５１，５１と接点３５ｂ、３５ｂとを磁力により固定して両者間を接続することができる。そして、フィルム３６を上止５から磁力に抗して剥がすことにより第１識別媒体５０は、近距離交信用のＲＦＩＤとすることができる。
【００７６】
図２７〜図２９に例示した遠距離交信用のアンテナをフィルム上に形成した場合には、フィルム上に形成したアンテナを近距離交信用のＲＦＩＤに接続することで近距離交信用のＲＦＩＤを遠距離交信用のＲＦＩＤとして使用することが可能となり、物流管理等の使用において遠距離間での物流管理用のデータの送受信を行うことができるようになる。また、アンテナを形成したフィルム状のものを近距離交信用のＲＦＩＤから剥がすことで、近距離交信用のＲＦＩＤとして使用することができる。
【００７７】
しかも、近距離交信用のＲＦＩＤは、ファスニング製品に装着されたままの状態となるので、ファスニング製品及び同ファスニング製品を装着した物品の真贋判定用として使用することができる。尚、近距離交信用のＲＦＩＤを上止に配設した例を用いて説明を行ったが、近距離交信用のＲＦＩＤの配設部位としては上止に限定されるものではなく、スライドファスナーを構成する部位に配設することができるものである。
【００７８】
更に、フィルム上に形成した遠距離交信用のアンテナは、スライドファスナーに接続することに限定されるものではなく、上記実施例１において図１５〜図２６に示したような各ファスニング製品に近距離交信用のＲＦＩＤを配したものに対しても遠距離交信用のアンテナを接続することができるものである。
【００７９】
図３０〜図３２は、スライドファスナーの引手に配した近距離交信用のＲＦＩＤに遠距離交信用のアンテナを着脱可能に接続する例を示している。この場合においても、上述の遠距離交信用のアンテナをフィルム上に形成した場合と同様に近距離交信用のＲＦＩＤは、遠距離交信用のアンテナを接続することで遠距離交信用のＲＦＩＤとして使用することができるようになり、また、遠距離交信用のアンテナを外すことにより近距離交信用のＲＦＩＤは、近距離交信が行えるＲＦＩＤとして使用することができる。
【００８０】
図３０では、スライダー２の引手３に、遠距離交信用のアンテナを配設したカバー３８を装着する例を示している。スライダー２の引手３には、第１識別媒体５０として近距離交信用のＲＦＩＤが内蔵され、同ＲＦＩＤのアンテナ接続端子５１、５１が引手３の外表面の一部に露出している。
【００８１】
カバー３８には、引手３を挿入する差込口５６が形成され、差込口５６内には弾性変形可能な係合片５７が一端部に係合突部５７ａを形成して配されている。また、カバー３８内に配したアンテナ線３５ａの端部が接点３５ｂ、３５ｂとして差込口５６内に露出して形成されている。図３５に示すように、引手３が差込口５６に挿入されると、第１識別媒体５０としての近距離交信用のＲＦＩＤのアンテナ接続端子５１，５１と接点３５ｂ、３５ｂとが接続するとともに、係合突部５７ａが引手３の孔部５８と係合してカバー３８を引手３に取り付けることができる。
【００８２】
これにより、第１識別媒体５０としての近距離交信用のＲＦＩＤを遠距離交信用のＲＦＩＤとして使用することが出来る。また、カバー３８を係合片５７の弾性力に抗して引手３から引き抜くと、第１識別媒体５０としての近距離交信用のＲＦＩＤを近距離交信用に使用することができるようになる。
【００８３】
図３２は、図３０に示すような引手３に挿入するカバーの変形例を示している。図３２に示すものでは、カバー３９を絶縁性の合成樹脂等により本体３９ａを形成し、アンテナ３９ｂを導電性の合成樹脂等により本体３９ａの両側縁部を形成する形で形成している。また、引手３を挿入することのできる差込口３９ｃが本体３９ａ及びアンテナ３９ｂ間に形成されている。
【００８４】
カバー３９を図３０に示すような引手３に挿入することで、アンテナ３９ｂを引手３内に配設した第１識別媒体５０としての近距離交信用のＲＦＩＤのアンテナ接続端子５１，５１に接続することができる。これにより、第１識別媒体５０としての近距離交信用のＲＦＩＤを遠距離交信用のＲＦＩＤとして使用することができる。また、カバー３９を引手３から取り外すことにより、第１識別媒体５０を近距離交信用のＲＦＩＤとして使用することができるようになる。
【００８５】
図３３は、引手３の係合孔部４０ｂに係合する係合突部４０ａを備えた飾り部材４０にアンテナ線３５ａを配設した例を示している。アンテナ線３５ａの接点３５ｂと引手３に配設した第１識別媒体５０である近距離交信用のＲＦＩＤのアンテナ接続端子５１，５１とを接続するための位置決め用に、飾り部材４０には嵌合溝部４０ｃが形成され、引手３には同嵌合溝部４０ｃと嵌合する嵌合突部４１が形成されている。
【００８６】
飾り部材４０を引手３に係合させることで、アンテナ線３５ａの接点３５ｂ、３５ｂを引手３内に配設した第１識別媒体５０としての近距離交信用のＲＦＩＤのアンテナ接続端子５１，５１にそれぞれ接続することができる。これにより、第１識別媒体５０としての近距離交信用のＲＦＩＤを遠距離交信用のＲＦＩＤとして使用することができる。また、飾り部材４０を引手３から取り外すことにより、第１識別媒体５０を近距離交信用のＲＦＩＤとして使用することができるようになる。
【００８７】
図３０、図３２に示すアンテナを配設したカバー及び図３３に示す飾り部材４０の形状は、例示であって他の形状に形成することは可能である。また、カバー３８，３９及び飾り部材４０は、引手３から取り外した後は、他の引手に取り付けることで、遠距離交信用のアンテナを再利用することができ、資源の有効利用を図ることができる。
【００８８】
図３４は、第１識別媒体５０である近距離交信用のＲＦＩＤを配設した面ファスナー４４をポケット４２のフラップ４３開閉用に使用した例を示している。アンテナ線３５ａ及び接点３５ｂ、３５ｂを配設した別の面ファスナーテープ４５を、第１識別媒体５０である近距離交信用のＲＦＩＤを配した面ファスナー４４に係合させることにより、アンテナ線３５ａの接点３５ｂ、３５ｂを第１識別媒体５０である近距離交信用のＲＦＩＤのアンテナ接続端子５１，５１に接続することができる。
【００８９】
これにより、第１識別媒体５０としての近距離交信用のＲＦＩＤを遠距離交信用のＲＦＩＤとして使用することができる。また、面ファスナーテープ４５を取り外すことにより、第１識別媒体５０を近距離交信用のＲＦＩＤとして使用することができるようになる。
【００９０】
図３２及び図３４に示すものにおいては、アンテナとして２本のアンテナを用いる例を示しているが、アンテナとしては２本のアンテナを用いる代わりに２本のアンテナの端部同士を接続したループ状のアンテナを使用することができるものである。
【００９１】
図３５〜図３７には、織製又は編製したファスナーテープの織糸又は編糸の一部にアンテナ線を配した例を示している。アンテナ線４８としては、図３５〜図３７に示すように導電性繊維材を織糸又は編糸として、ファスナーテープ４６の基布の織成又は編成と同時に織成又は編成することができる。導電性繊維材の代わりに金属線、金属薄板、あるいは導電性樹脂等から構成される導電材を用いることもできる。なお、図３５〜図３７においては、織目、編目を分かり易くするために誇張して拡大した状態を示しているものである。
【００９２】
アンテナ線４８を図示せぬ第１識別媒体のアンテナ接続端子と断接させることで、第１識別媒体としての近距離交信用のＲＦＩＤを遠距離交信用のＲＦＩＤとして使用したり、近距離交信用のＲＦＩＤとして使用することができる。アンテナ線４８と第１識別媒体のアンテナ接続端子と断接形態としては、アンテナ線を初めは第１識別媒体としての近距離交信用のＲＦＩＤに接続して使用し、遠距離交信が必要なくなったときに、アンテナ線を切断することで第１識別媒体としての近距離交信用のＲＦＩＤとして使用することができる。
【００９３】
また、接続していた状態から、アンテナ線の接点を第１識別媒体のアンテナ接続端子から離間させること等によってアンテナ線４８と第１識別媒体のアンテナ接続端子と断接を行わせることもできる。アンテナ線４８は、ファスナーテープの基布に配設する以外のも、ファスニング製品を被着する物品を構成する布等に織成又は編成により配設することもできる。あるいは、アンテナ線として金属線、金属薄板、あるいは導電性樹脂等から構成される導電材を用いて、ファスナーテープ又は物品に接着等の適宜の取り付け手段により配設することもできる。
【００９４】
これらのアンテナ線の配設構成は、アンテナ線を使用するファスニング製品又は物品の使用形態に応じて、適宜の形態を採用することができるものである。図３８は、アンテナ線３５ａをダミーの雄部材６０に配設したバックル２２の例を示している。バックル２２の形状としては、図１５で説明したバックル２２を用いて説明を行うこととする。このため、図１５で用いたバックル２２の部材についての説明は、図１５で用いたと同じ部材符号を用いることでその説明を省略する。
【００９５】
雌部材２２内に配設された第１識別媒体５０としての近距離交信用のＲＦＩＤは、アンテナ接続端子５１，５１を備えている。ダミーの雄部材６０には、雄部材２２ａと同様の形状を有し、内部には遠距離交信用のアンテナ線３５ａ及び同アンテナ線２５ａの端部が接点３５ｂ、３５ｂとして露出している。ダミーの雄部材６０を雌部材２２ｂに係合させることにより、第１識別媒体５０としての近距離交信用のＲＦＩＤのアンテナ接続端子５１，５１に、アンテナ線３５ａの接点３５ｂ、３５ｂをそれぞれ接続させることができる。
【００９６】
これにより、ダミーの雄部材６０を雌部材２２ｂに係合させることで第１識別媒体５０としての近距離交信用のＲＦＩＤを遠距離交信用のＲＦＩＤとして使用することができ、ダミーの雄部材６０を雌部材２２ｂから取り外すことにより、第１識別媒体５０としての近距離交信用のＲＦＩＤを近距離交信用として使用することができる。
【００９７】
また、遠距離交信用としての使用が終えたときには、ダミーの雄部材６０を雌部材２２ｂから取り外して、他の第１識別媒体５０としての近距離交信用のＲＦＩＤを備えたバックルに係合させることで、他のバックルに対しても遠距離交信を行い得るようにすることができる。これにより、ダミーの雄部材６０を再利用することができる。
【００９８】
このように本願発明では、着脱可能のアンテナと同様に電源電池を第１識別媒体５０としての近距離交信用のＲＦＩＤに接続することで、電源電池を有しないＲＦＩＤに対して電源電池を配設することができ、遠距離交信の交信距離をより拡大させることができるようになる。
【産業上の利用可能性】
【００９９】
本願発明は、ファスニング製品を備えた物品に対して好適に適用することができる。
【符号の説明】
【０１００】
２・・・スライダー、
３・・・引手、
２２・・・バックル、
２５ａ・・・アンテナ線、
３５ａ・・・アンテナ線、
３５ｂ・・・接点、
３６・・・フィルム、
３７・・・粘着部、
３９・・・カバー、
４０・・・飾り部材、
４４・・・面ファスナー、
４５・・・面ファスナーテープ、
４８・・・アンテナ線、
５０・・・第１識別媒体、
５１・・・アンテナ接続端子、
６０・・・ダミーの雄部材。
【図１】
2009187580.tif 000003
【図２】
2009187580.tif 000004
【図３】
2009187580.tif 000005
【図４】
2009187580.tif 000006
【図５】
2009187580.tif 000007
【図６】
2009187580.tif 000008
【図７】
2009187580.tif 000009
【図８】
2009187580.tif 000010
【図９】
2009187580.tif 000011
【図１０】
2009187580.tif 000012
【図１１】
2009187580.tif 000013
【図１２】
2009187580.tif 000014
【図１３】
2009187580.tif 000015
【図１４】
2009187580.tif 000016
【図１５】
2009187580.tif 000017
【図１６】
2009187580.tif 000018
【図１７】
2009187580.tif 000019
【図１８】
2009187580.tif 000020
【図１９】
2009187580.tif 000021
【図２０】
2009187580.tif 000022
【図２１】
2009187580.tif 000023
【図２２】
2009187580.tif 000024
【図２３】
2009187580.tif 000025
【図２４】
2009187580.tif 000026
【図２５】
2009187580.tif 000027
【図２６】
2009187580.tif 000028
【図２７】
2009187580.tif 000029
【図２８】
2009187580.tif 000030
【図２９】
2009187580.tif 000031
【図３０】
2009187580.tif 000032
【図３１】
2009187580.tif 000033
【図３２】
2009187580.tif 000034
【図３３】
2009187580.tif 000035
【図３４】
2009187580.tif 000036
【図３５】
2009187580.tif 000037
【図３６】
2009187580.tif 000038
【図３７】
2009187580.tif 000039
【図３８】
2009187580.tif 000040
【図３９】
2009187580.tif 000041
【図４０】
2009187580.tif 000042
【図４１】
2009187580.tif 000043